(57)【要約】  外扉（２）に開口した窓に表示装置（４）を回転可能に軸支するとともに表示装置（４）と窓（２０）の窓枠を形成する左フレーム（２３），（２４）とのそれぞれ対峙する部位に互いに磁気により吸引し合う磁気吸着片（４５）、磁石（２５），（２６）を設け、前記表示装置（４）が外扉（２）の正面側を向く通常位置では磁気吸着片（４５）を磁石（２５）に吸着させて係止する一方、表示装置（４）が外扉（２）の背面側を向くように反転した反転位置では磁気吸着片（４５）を磁石（２６）に吸着させて係止することにより、表示装置（４）を反転させた際にも表示装置（４）の不測の回転を防止する。
2016208210.tif 000002
【特許請求の範囲】
【請求項１】
自動販売機本体の前面に開閉自在に配設された外扉と、  前記外扉の接客面に設けられた矩形状の窓に装着され、少なくとも販売する商品の画像を表示するとともにタッチパネル式のスイッチ機能を有する矩形状の表示装置と  を備えてなる自動販売機において、  前記表示装置の上部および下部にそれぞれ上下方向に延在するとともに表示装置の略重心線上に位置する回転軸が設けられ、前記表示装置の回転軸から離隔した部位であって表示装置と窓の窓枠とのそれぞれ対峙する部位に互いに磁気により吸引し合う磁気吸着部が設けられ、前記表示装置の回転軸を窓の窓枠に軸支するとともに前記表示装置および窓枠に設けられた磁気吸着部により表示装置が外扉の正面側若しくは背面側に反転した通常位置若しくは反転位置にそれぞれ係止されることを特徴とする自動販売機。
【請求項２】
前記窓の窓枠のうちの下方の窓枠における左右両端にその一部が露出する態様で軸線が外扉の左右方向に延在するローラーを有することを特徴とする請求項１に記載の自動販売機。
【請求項３】
前記磁気吸着部は、一方が磁石であり、他方が鉄製の磁気吸着片からなることを特徴とする請求項１に記載の自動販売機。
【請求項４】
前記磁気吸着片は表示装置の左右端部のいずれか一方の端部に該表示装置から側方に突出して配設され、磁石は窓の左右窓枠における前記磁気吸着片と対峙する部位に配設されてなることを特徴とする請求項３に記載の自動販売機。
【発明の詳細な説明】
【技術分野】
【０００１】  この発明は、自動販売機本体の前面を開閉する外扉の接客面に販売する商品の画像などを表示する表示装置を備えた自動販売機に関し、特に表示装置の表示面を外扉の正面側および背面側に向けて回転可能とした自動販売機に関するものである。
【背景技術】
【０００２】  例えば、缶入り飲料やペットボトル入り飲料などの商品（清涼飲料等の商品）を販売する自動販売機は、一般的に、断熱筐体としてなる自動販売機本体の商品収納庫内に前記商品をコールド状態、ホット状態に区分して保存するとともに外扉の接客面の上部領域に大きく開口した窓を透明板で閉塞してなるディスプレイ室内に複数の商品見本を左右に並べて展示し、前記商品見本に対応して設けられた商品選択ボタンの操作に基いて選択された商品を販売するように構成されている。【０００３】  この自動販売機においては、商品見本が商品を模したプラスチック製になり、商品の入れ替えに伴う商品見本の交換、或いは展示位置の変更の際、外扉を開放してディスプレイ室に展示された商品見本の交換や着脱を行わねばならないので手間がかかるものであった。【０００４】  このため、販売する商品の画像を表示する液晶ディスプレイを外扉の接客面に配設し、必要に応じて商品の種類や表示位置を設定、変更するようにしたものが出現している。液晶ディスプレイの薄型化や大型化は著しく、従前のプラスチック製の商品見本を展示するディスプレイ室の大きさに相当する液晶ディスプレイを採用し、外扉の接客面に大きく開口した窓に配設する一方、液晶ディスプレイの表示面にタッチした位置の座標から選択された商品を検出するタッチパネル式のスイッチ機能によって液晶ディスプレイの表示面にタッチすることにより商品の選択を行うとともに選択された商品を大きく拡大して表示したり、点滅させたりするものも知られている（例えば、特許文献１参照）。【０００５】  ところで、外扉の接客面に配設される液晶ディスプレイは外扉に固定して取付けられるのが一般的である一方、液晶ディスプレイを回転可能に配設し、液晶ディスプレイの表示面を外扉の正面側および背面側に向けて反転可能とした自動販売機も知られている（例えば、特許文献２参照）。この特許文献２に開示された発明によれば、外扉を開放して自動販売機の各種設定、メンテナンスを行う際に液晶ディスプレイを反転させてモニターとして活用できることが可能になる点で優れている。
【先行技術文献】
【特許文献】
【０００６】
【特許文献１】特許第５６２１２４７号公報
【特許文献２】特開２００２−１５０３８４号公報
【発明の概要】
【発明が解決しようとする課題】
【０００７】  ところで、前記特許文献２に開示された発明にあっては、液晶ディスプレイを回転可能に配設するため、液晶ディスプレイの左右一端側に上下方向に延在する回転軸を設けてヒンジ式に支持する一方、通常時（販売時）に液晶ディスプレイの回転を阻止するために回転軸とは反対側にロック機構が設けられ、液晶ディスプレイを回転（反転）させる際には作業員がロック機構を外すように構成されている。このため、液晶ディスプレイを回転（反転）させる際に作業員がロック機構を解除せねばならず手間がかかるものである。【０００８】  また、液晶ディスプレイを表示面が背面側に向くように反転させた状態では液晶ディスプレイが自由に動き得るフリーな状態にあるので、液晶ディスプレイが不測に回転して表示面が見辛くなるおそれがあるという課題を有する。【０００９】  特に、特許文献１に開示された発明のように大型の液晶ディスプレイの場合には液晶ディスプレイの不測の回転により作業員の思わぬ怪我、或いは液晶ディスプレイの表示面に物が衝突、若しくは液晶ディスプレイの回転を阻止しようとして液晶ディスプレイの表示面に強い衝撃を与えた際には液晶ディスプレイの表示面が破損するおそれがある。【００１０】  本発明は上記の点に鑑みてなされたものであり、その目的は前記課題を解決し、外扉の接客面に設けられた窓に装着される表示装置の表示面を外扉の正面側および背面側に向けて反転するように回転可能に配置するとともに当該表示装置をその表示面が外扉の正面側若しくは背面側を向く通常位置および反転位置にそれぞれ係止することが可能な自動販売機を提供することにある。
【課題を解決するための手段】
【００１１】  上記目的を達成するために、本発明に係る自動販売機は、自動販売機本体の前面に開閉自在に配設された外扉と、前記外扉の接客面に設けられた矩形状の窓に装着され、少なくとも販売する商品の画像を表示するとともにタッチパネル式のスイッチ機能を有する矩形状の表示装置とを備えてなる自動販売機において、前記表示装置の上部および下部にそれぞれ上下方向に延在するとともに表示装置の略重心線上に位置する回転軸が設けられ、前記表示装置の回転軸から離隔した部位であって表示装置と窓の窓枠とのそれぞれ対峙する部位に互いに磁気により吸引し合う磁気吸着部が設けられ、前記表示装置の回転軸を窓の窓枠に軸支するとともに前記表示装置および窓枠に設けられた磁気吸着部により表示装置が外扉の正面側若しくは背面側に反転した通常位置若しくは反転位置にそれぞれ係止されることを特徴とする。【００１２】  また本発明は、上記自動販売機において、前記窓の窓枠のうちの下方の窓枠における左右両端にその一部が露出する態様で軸線が外扉の左右方向に延在するローラーを有することを特徴とする。【００１３】  また本発明は、上記自動販売機において、前記磁気吸着部は、一方が磁石であり、他方が鉄製の磁気吸着片からなることを特徴とする。【００１４】  また本発明は、上記自動販売機において、前記磁気吸着片は表示装置の左右端部のいずれか一方の端部に該表示装置から側方に突出して配設され、磁石は窓の左右窓枠における前記磁気吸着片と対峙する部位に配設されてなることを特徴とする。
【発明の効果】
【００１５】  本発明に係る自動販売機によれば、自動販売機本体の前面に開閉自在に配設された外扉と、前記外扉の接客面に設けられた矩形状の窓に装着され、少なくとも販売する商品の画像を表示するとともにタッチパネル式のスイッチ機能を有する矩形状の表示装置とを備えてなる自動販売機において、前記表示装置の上部および下部にそれぞれ上下方向に延在するとともに表示装置の略重心線上に位置する回転軸が設けられ、前記表示装置の回転軸から離隔した部位であって表示装置と窓の窓枠とのそれぞれ対峙する部位に互いに磁気により吸引し合う磁気吸着部が設けられ、前記表示装置の回転軸を窓の窓枠に軸支するとともに前記表示装置および窓枠に設けた磁気吸着部により表示装置が外扉の正面側若しくは背面側に反転した通常位置若しくは反転位置にそれぞれ係止されることにより、通常時においては表示装置および窓枠に設けたそれぞれの磁気吸着部によって表示装置が外扉の正面側を向く通常位置にロック（係止）することができる一方、外扉を開放して表示装置を反転させる際、作業員は表示装置および窓枠に設けたそれぞれの磁気吸着部の吸引力に打ち勝つ回転力を表示装置に加えるのみで表示装置を反転させることができ、かつ、反転した表示装置はそれぞれの磁気吸着部によって背面側を向いた反転位置にロック（係止）されるので不測に回転することを防止できるという効果を奏する。
【図面の簡単な説明】
【００１６】
【図１】図１は、本発明の実施の形態１にかかる自動販売機の正面図である。
【図２】図２は、図１の外扉の背面側から見た要部斜視図である。
【図３】図３は、図２の外扉から表示装置を分解した分解斜視図である。
【図４】図４は、図２の外扉の窓部を示す背面斜視図である。
【図５】図５は、図４のローラーの斜視図である。
【図６】図６は、図４のローラーによる表示装置の支持状態を示す要部拡大図である。
【図７】図７は、表示装置を反転させた状態を示す外扉背面斜視図である。
【発明を実施するための形態】
【００１７】  以下、本発明の実施の形態にかかる自動販売機を図面に基づいて詳細に説明する。
【００１８】  図１は、本発明の実施の形態１にかかる自動販売機の全体構成を示す斜視図であり、図１において、１は缶入り飲料やペットボトル入り飲料などの商品をコールド状態、ホット状態に区分して保存する断熱筐体としてなる自動販売機本体、２は自動販売機本体１の前面にヒンジにより開閉可能に支持された片開き式の外扉、３は外扉２の前面を覆う態様で配設された装飾パネルである。
【００１９】  前記装飾パネル３はプラスチック製になり、周縁に設けられた上下左右の化粧枠３１〜３４を介して外扉２に取付けられ、上下縁部を湾曲させることにより自動販売機を丸みを帯びた外観とすることにより角ばった外観の自動販売機と差別化するものである。
【００２０】  なお、装飾パネル３には、当該装飾パネル３に覆われた領域の外扉２の前面に設けられる部品が表面に露出するように開口が形成されているものであるが、以下ではその開口の説明（記載）は割愛する。
【００２１】  前記外扉２の前面の上部域には大きく開口した窓２０が設けられ、この窓２０に販売する商品の画像などを表示する表示装置４が回転可能に装着されている。
【００２２】  また、外扉２の前面には硬貨投入口２ａ、紙幣挿入口２ｂ、硬貨返却口２ｃ、返却レバー２ｄ、商品取出口２ｅ、電子マネーリーダライタのアンテナ部２ｆ、磁気記録式のカードのリーダライタ２ｇ、人体を感知する近接センサなどの人体感知センサと購入者を撮影するＣＣＤカメラなどのカメラユニット２ｈ、ハンドルロックまたはシリンダー錠２ｊなどが設けられている。
【００２３】  なお、外扉２の背面に硬貨投入口２ａに連通して投入硬貨の金種および真偽を判定して偽貨として判定された硬貨を硬貨返却口２ｃに返却する一方、正貨として判定された硬貨を金種別の釣銭筒若しくは金庫に収納し、釣銭払出指令に基づいて金種別の釣銭筒から硬貨を払い出すコインメカニズム、紙幣挿入口２ｂに連通して挿入された紙幣の金種および真偽を判定したうえで一時保留し、偽貨として判定された際に一時保留した紙幣を紙幣挿入口２ｂに返却する一方、正貨として判定された際に一時保留した紙幣を金庫に取り込むビルバリデータ、自動販売機全体の制御を司る自動販売機制御部、表示装置４の表示を制御する表示制御部を内蔵する制御ボックスなどが配設されているのは周知のとおりである。
【００２４】  外扉２の窓２０に回転可能に装着される表示装置４は、例えば、液晶ディスプレイからなり、表示面となる液晶パネル４ａが外扉２の正面側を向く態様で外扉２の窓２０に装着されている。
【００２５】  この表示装置４は、外扉２の窓２０から取り外した状態の分解斜視図である図３に示すように、薄い箱型の筺体４１と筺体４１の開口部を閉塞するカバー４２とからなるケース４０を備え、筺体４１の前面は開口されるとともに周縁を形成するフランジには複数の通気用スリットが形成されている。
【００２６】  ケース４０の内部には、液晶パネル４ａを背後から支持するアルミニウム製のフレームシャーシ、液晶パネル４ａの発光駆動とその制御を行う回路基板が内蔵されている。筺体４１の上下フランジには上下方向に延在する回転軸４３，４４が設けられている。
【００２７】  これらの回転軸４３，４４は、表示装置４の重心線上に位置している。また、筺体４１の正面視左側のフランジの上下方向の略中央部には鉄製の磁気吸着片４５が固着されている。この磁気吸着片４５は横断面Ｌ字状に形成され、Ｌ字状の短い片がカバー４２の背面と面一であって外方（左側方）に突出する態様でＬ字状の長い片を筺体４１の左側フランジに固着して設けられている。この磁気吸着片４５が表示装置４の磁気吸着部を構成する。
【００２８】  そして、カバー４２には複数の通気用スリットが形成されるとともに背面側に向けて突出するゴム製の突起４６が４個設けられている。このゴム製の突起４６の突起高さは、カバー４２と、その後方に配設されている断熱扉（不図示）の離間距離と同じ高さで形成され、ゴム製の突起４６が断熱扉に当接することにより、外扉２の閉時に通常位置の状態である表示装置４の不測の回転を防止する。
【００２９】  なお、回転軸４３，４４のうち、下方側に設けられた回転軸４４は表示装置４の下部（筐体４１の下フランジ）が窓２０の周縁に当接（摺接）するのを防止するために段付きねじの形態に形成されている。
【００３０】  外扉２の窓２０は前記表示装置４を収容可能な大きさに形成され、窓２０の周縁に沿ってフレーム２１〜２４（図３および図４参照）が設けられている。
【００３１】  これらフレーム２１〜２４は、窓２０の上下左右の窓枠として形成され、以下では窓２０の上側の窓枠を形成するフレーム２１を上フレーム、窓２０の下側の窓枠を形成するフレーム２２を下フレーム、窓２０の正面視左側の窓枠を形成するフレーム２３を左フレーム、窓２０の正面視右側の窓枠を形成するフレーム２４を右フレームと称することとする。
【００３２】  なお、上フレーム２１と下フレーム２２、左フレーム２３と右フレーム２４とはそれぞれ同一の部材からなり、一方（上フレーム２１、左フレーム２３）に対し、他方（下フレーム２２、右フレーム２４）を回転させて取付けるように構成されている。
【００３３】  図４に示すように上フレーム２１は横断面コ字状に形成された金属製になり、コ字状の開放面が上方を向く態様で左右両端を扉２の扉枠２Ａにねじ止めされて外扉２に一体的に固着されている。
【００３４】  上フレーム２１の左右方向の中央部には背面側に向けて開放した軸受凹所２１１が形成されている。下フレーム２２は、上フレーム２１を図４において左右方向に１８０度回転させたうえで外扉２の扉枠２Ａに固着したものであり、下フレーム２２を参照すると理解できるように軸受凹所２２１（軸受凹所２１１）は漏斗状に形成されて朝顔の花のように開く部分が背面側を向き、細くとがった部分が表示装置４の回転軸４３，４４の軸受となるように構成されている。
【００３５】  ここで、表示装置４の下方側の回転軸４４は段付きねじの形態に形成されており、その先端側の細い軸部の径が軸受凹所２２１（軸受凹所２１１）を構成する漏斗状の細くとがった部分の寸法よりも小さく、基部側の太い軸部の径が軸受凹所２２１（軸受凹所２１１）を構成する漏斗状の細くとがった部分の寸法よりも大きく定められているものである。
【００３６】  前記軸受凹所２１１，２２１には、それぞれ閉塞部材２７，２８が取付けられる。この閉塞部材２７，２８は、漏斗状の軸受凹所２１１，２２１の細くとがった部分を残して背面側に開く部分を閉鎖するものであり、横断面コ字状に形成されて上フレーム２１，下フレーム２２にねじ止めして固着される。
【００３７】  なお、上フレーム２１，下フレーム２２は強度が保障される範囲でコ字状の一方（背面側）の脚片からコ字状基端部まで切り欠いた切欠２１２，２２２を形成して表示装置４からの通気性を確保し、切欠２１２，２２２以外の箇所には複数の通気用スリットを形成している。
【００３８】  左フレーム２３、右フレーム２４は横断面Ｌ字状に形成され、Ｌ字状の短い片を窓２０の左右の縁に沿わせる態様でＬ字状の長い片の上下両端を上フレーム２１と下フレーム２２にねじ止めしてそれぞれ外扉２に一体的に固着されている。
【００３９】  この場合、右フレーム２４は、左フレーム２３を図４において左右方向に１８０度回転させたうえでその上下両端を上フレーム２１と下フレーム２２にねじ止めして外扉２に固着したものである。そして、左フレーム２３、右フレーム２４の上フレーム２１と下フレーム２２にねじ止めされたＬ字状の長い片における上下方向の略中央部には磁石２５，２６が埋設されている。
【００４０】  この磁石２５，２６は表示装置４の磁気吸着片４５に対峙する態様で左右対象に配設されるように構成されている。この磁石２５，２６が窓２０の窓枠（左右フレーム２３，２４）の磁気吸着部を構成する。
【００４１】  また、下フレーム２２の左右両端にはローラー５，５が、その外周の一部が下フレーム２２の上方に露出する態様で、支持部材５０，５０を介して取付けられている。このローラー５，５および支持部材５０，５０は同一の部品からなり、その斜視図を図５に示す。
【００４２】  図５に示すように、ローラー５は回転軸５Ａに回動自在に軸支され、回転軸５Ａが支持部材５０の両翼片５１，５１に保持されてなるものである。支持部材５０は、展開図が羽子板状をなして持ち手となる部位を曲げ起こして固定片５２とし、羽子板状の左右両翼を曲げ起こして両翼片５１，５１としたものであり、固定片５２にねじ挿通孔５２１が形成され、両翼片５１，５１に回転軸５Ａの保持孔（不図示）が形成されるとともに固定片５２と反対側の端部に係止爪５１１，５１１が形成されている。
【００４３】  なお、両翼片５１，５１の高さは、両翼片５１，５１に回転軸５Ａを介して組み付けられたローラー５の外周の一部が上方に突出する高さに定められ、また、コ字状の下フレーム２２の基端部にはローラー５の外周の一部を挿通する開口２２３（図６参照）が形成されているものである。
【００４４】  ローラー５が組付けられた支持部材５０は次のようにして下フレーム２２に取付けられる。すなわち、支持部材５０の両翼片５１，５１の係止爪５１１，５１１をコ字状の下フレーム２２の他方（正面側）の脚片の先端から背面側に折り曲げられたフランジ（不図示）に係止したうえでローラー５を下フレーム２２の基端部に形成した開口２２３に臨ませつつ固定片５２をコ字状の下フレーム２２の一方（背面側）の脚片にねじ挿通孔５２１を介してねじ止めして固着する。
【００４５】  これにより、ローラー５が、その外周の一部が下フレーム２２から上方に突出するとともに回転軸５Ａが外扉２の左右方向に延在する態様で下フレーム２２に配設される。
【００４６】  なお、図４において、６は上下左右フレーム２１〜２４に一体的に取付けられて窓２０内に向けて突出するように配設されたガスケットであり、図４では下フレーム２２、左フレーム２３に配設されたガスケット６が見えている。また、図２および図３において、７は表示装置４の配線を覆う配線カバー、８は外扉２の上部領域に配設される照明灯光源（不図示）を保護するカバーである。
【００４７】  前述したように、外扉２の窓２０の周縁に沿って窓枠（上下フレーム２１，２２および左右フレーム２３，２４）を取付けることにより窓２０に表示装置４を装着する準備が完了する。この状態から上下フレーム２１，２２の軸受凹所２１１，２２１に対峙して取付けられる閉塞部材２７，２８を取り外したうえで表示装置４を外扉２の背面側から表示面となる液晶パネル４ａが外扉２の正面側を向く態様で外扉２の窓２０に次のように装着する。
【００４８】  すなわち、表示装置４の磁気吸着片４５が固着された一方側の端部（正面視左端側）とは反対側の他方側の端部（正面視右端側）を窓２０を貫通させつつ表示装置４の回転軸４３，４４を上下フレーム２１，２２の軸受凹所２１１，２２１に挿入させる。
【００４９】  このように、表示装置４の上下の回転軸４３，４４を上下フレーム２１，２２の軸受凹所２１１，２２１に挿入させるに当たり、表示装置４を窓２０と交差する態様に傾けた状態で装着すると、表示装置４（液晶パネル４ａ）を窓２０の面に平行な状態で装着する場合に比して表示装置４を手で保持することが容易となる。
【００５０】  前述したように、表示装置４の回転軸４３，４４を上下フレーム２１，２２の軸受凹所２１１，２２１に挿入させた後、軸受凹所２１１，２２１に対峙する閉塞部材２７，２８を上下フレーム２１，２２にねじ止めする。
【００５１】  これにより、表示装置４の回転軸４３，４４が軸受凹所２１１，２２１から脱落するのが防止される。ここで、表示装置４の下方側の回転軸４４が段付きねじの形態に形成されて太径の軸部が下フレーム２２の面に当接するように構成されているので、表示装置４の下部（筐体４１の下フランジ）が下フレーム２２および窓２０の下縁に当接することなく浮き上がっており、表示装置４を容易に回転させることができる。
【００５２】  この後、窓２０に対して傾いた状態にある表示装置４を窓２０の面と面一となるように回転させると、表示装置４の一方側の端部に設けた磁気吸着片４５が左フレーム２３に設けた磁石２５に吸着されて表示装置４を通常位置にロック（係止）する。
【００５３】  このように、窓２０に装着された表示装置４が磁石２５と磁気吸着片４５とにより通常位置にロックされた状態では、表示装置４の下部（筐体４１の下フランジ）が下フレーム２２の左右両端に配設したローラー５，５に乗り上げているので、回転軸４４に掛かる負荷を軽減することができる。
【００５４】  さて、表示装置４の表示面（液晶パネル４ａ）が外扉２の正面側を向く通常位置に保持された表示装置４を反転させる際には外扉２を開放させる。外扉２を開放すると外扉２の背面側が露出（図２参照）するので、表示装置４の磁気吸着片４５と左フレーム２３に設けた磁石２５による表示装置４の通常位置へのロックを解除したうえで表示装置４を反転させる。
【００５５】  つまり、表示装置４の磁気吸着片４５が固着された一方側の端部（正面視左端側）とは反対側の他方側の端部他方側の端部（正面視右端側であり、図２においては左方の端部）を、左フレーム２３に設けた磁石２５（図３参照）の吸引力に打ち勝つ力で前方に押圧すると表示装置４の磁気吸着片４５が磁石２５から離れるので、表示装置４を回転軸４３，４４を中心に回転させる。
【００５６】  そして、表示装置４が略１８０度回転した状態（図７参照）では、表示装置４の磁気吸着片４５が右フレーム２４に設けた磁石２６（図３参照）に吸着して表示装置４の表示面（液晶パネル４ａ）が外扉２の背面側を向く反転位置にロック（係止）される。
【００５７】  このように、表示装置４を表示面（液晶パネル４ａ）が外扉２の背面側を向く状態に反転させた際、表示装置４は磁気吸着片４５と磁石２６によりロック（係止）されるので、表示装置４が反転位置から不測に回転するのが防止される。反転位置にロック（係止）された表示装置４を通常位置に戻すには、表示装置４を反転させる際の手順と逆の手順により行えばよい。
【００５８】  前述したように、この実施の形態にかかる自動販売機においては、自動販売機本体１の前面に開閉自在に配設された外扉２と、前記外扉２の接客面に大きく開口された矩形状の窓２０に装着され、少なくとも販売する商品の画像を表示するとともにタッチパネル式のスイッチ機能を有する矩形状の表示装置４とを備えてなる自動販売機において、前記表示装置４の上部および下部にそれぞれ上下方向に延在するとともに表示装置４の略重心線上に位置する回転軸４３，４４を設け、前記表示装置４の回転軸４３，４４から離隔した部位であって表示装置４と窓２０の窓枠（左右フレーム２３，２４）とのそれぞれ対峙する部位に互いに磁気により吸引し合う磁気吸着部（磁気吸着片４５、磁石２５，２６）を設け、前記表示装置４の回転軸４３，４４を窓２０の窓枠に軸支するとともに前記表示装置４および窓枠（左右フレーム２３，２４）に設けた磁気吸着部（磁気吸着片４５、磁石２５，２６）により表示装置４が外扉２の正面側若しくは背面側に反転した通常位置若しくは反転位置にそれぞれ係止することにより、通常時においては表示装置４および窓枠（左右フレーム２３，２４）に設けたそれぞれの磁気吸着部（磁気吸着片４５、磁石２５，２６）によって表示装置４が外扉２の正面側を向く通常位置にロック（係止）することができる一方、外扉２を開放して表示装置４を反転させる際、作業員は表示装置４および窓枠（左フレーム２３）に設けたそれぞれの磁気吸着部（磁気吸着片４５、磁石２５）の吸引力に打ち勝つ回転力を表示装置４に加えるのみで表示装置４を反転させることができ、かつ、反転した表示装置４はそれぞれの磁気吸着部（磁気吸着片４５、磁石２６）によって背面側を向いた反転位置にロック（係止）されるので不測に回転することを防止できるものである。
【００５９】  なお、前述した実施の形態では、磁気吸着部として表示装置４に設けた磁気吸着片４５と左右フレーム２３，２４に設けた磁石２５，２６からなり、磁気吸着片４５が表示装置４の外方（左側方）に突出する態様のものについて説明したが、表示装置４が通常位置にロック（係止）された状態、つまり、上下左右のフレーム２１〜２４で囲まれた空間の収容された状態で表示装置４と上下左右のフレーム２１〜２４との対峙面にそれぞれ磁気吸着部を設けることもできるものである。
【００６０】  また、表示装置４は販売する商品の画像を表示するとともにタッチパネル式のスイッチ機能を有するものに加えて無線でネットワークと接続する通信手段を設けることにより電子看板として利用したり、遠方からメンテナンス情報の提供やメンテナンス方法の支持を行うようにすることができるものである。したがって、本発明は実施の形態に限定されるものではない。
【符号の説明】
【００６１】      １  自動販売機本体      ２  外扉      ４  表示装置      ５  ローラー    ２０  窓    ２１  上フレーム    ２２  下フレーム    ２３  左フレーム    ２４  右フレーム    ２５  磁石    ２６  磁石    ４３  回転軸    ４４  回転軸    ４５  磁気吸着片  ２１１  軸受凹所  ２２１  軸受凹所
【図１】
2016208210.tif 000003
【図２】
2016208210.tif 000004
【図３】
2016208210.tif 000005
【図４】
2016208210.tif 000006
【図５】
2016208210.tif 000007
【図６】
2016208210.tif 000008
【図７】
2016208210.tif 000009
【国際調査報告】
2016208210.tif 000010
2016208210.tif 000011
2016208210.tif 000012